(57)【要約】【課題】河川の護岸の法面に、魚礁組込型の護岸ブロックを敷設し、それに、石・木材等を組付け装填して構成する淡水魚用の魚礁を、河川の流れの中に存在するように設置し得るようにする。【解決手段】魚礁Ａを、コンクリートにより所定の規格寸法の護岸ブロック本体１と、それの内部空間に組込む魚礁本体２とで構成し、その護岸ブロック本体１を、護岸の法面の側に位置させる略垂直な後壁１０と、その後壁１０の下端から河川に向け突出する底壁１１と、その底壁１１と平行して後壁１０の上端から前方に向け突出する天井壁１２とで、河川に向かう前面側が開放する横向きのチャンネル状に形成し、魚礁本体２を、木材により、護岸ブロック本体１の内部空間に略対応する大きさ形状の多段の棚状に組立て、この魚礁本体２を護岸ブロック本体１の内部空間に装入して組付け、それの棚間隔内に石・粗朶などを装填して魚礁とする。【選択図】図１２
2005299116.tif 000002
【特許請求の範囲】
【請求項１】
魚礁Ａを、コンクリートにより所定の規格寸法のブロックに成型して護岸の法面に並列させて敷設する護岸ブロック本体１と、それの内部空間に組込む魚礁本体２とで構成し、その護岸ブロック本体１を、護岸の法面の側に位置させる略垂直な後壁１０と、その後壁１０の下端から河川に向け前方に略水平に突出する底壁１１と、その底壁１１と平行して後壁１０の上端から前方に向け略水平な棚板状に突出する天井壁１２とで、河川に向かう前面側が開放する横向きのチャンネル状に形成し、魚礁本体２を、間伐材等の木材により、護岸ブロック本体１の内部空間に略対応する大きさ形状の多段の棚状に組立て、この魚礁本体２を護岸ブロック本体１の内部空間に装入して組付け、それの棚間隔内に石・粗朶などを装填して魚類の棲み家にすることを特徴とする河川の護岸に敷設する淡水魚用の魚礁。
【請求項２】
護岸ブロック本体１の後壁１０の内面に、アンカー金具３を装設し、それに挿通するワイヤー・紐などにより、護岸ブロック本体１内に組込んだ魚礁本体２を、護岸ブロック本体１に対し緊縛・固定することを特徴とする河川の護岸に敷設する淡水魚用の魚礁。
【請求項３】
護岸ブロック本体１の前面側の開放口１ａに、天井壁１２の前縁部と底壁１１の前縁部との間に渡架する補強梁１５を、左右方向に間隔をおいた間柱状に装設し、その補強梁１５にボルト挿通孔１６を形成し、それに挿通する止着ボルトにより、護岸ブロック本体１内に装入した魚礁本体２を護岸ブロック本体１に対し緊縛・固定することを特徴とする河川の護岸に敷設する淡水魚用の魚礁。
【請求項４】
護岸ブロック本体１の天井壁１２の後端部位に、護岸の法面に敷設する張りブロック１４を、護岸の法面の傾斜角度に倣い天井壁１２の後端部から後方上方に向け斜めに突出させて一体に連続成形したことを特徴とする請求項１記載の河川の護岸に敷設する淡水魚用の魚礁。
【請求項５】
護岸ブロック本体１を、それの天井壁１２の突出長さが底壁１１の突出長さより短くして、天井壁１２の前縁と底壁１１の前縁とを結ぶ仮想線が護岸の法面の傾斜面に沿う形状に成形し、この護岸ブロック本体１の天井壁１２の前端部に、法面に敷設する張りブロック１４を、その天井壁１２の前端部から後方上方に斜めに突出するよう一体に連続させて成形したことを特徴とする請求項１記載の河川の護岸に敷設する淡水魚用の魚礁。
【請求項６】
護岸ブロック本体１の底壁１１の前端部に、護岸の法面に倣う傾斜角度で前方下方に向け垂下する垂下壁１７と、それの下端に連続する基礎ブロック４とを、該護岸ブロック本体１に一体に連続させて形設したことを特徴とする請求項１記載の河川の護岸に敷設する淡水魚用の魚礁。
【発明の詳細な説明】
【技術分野】
【０００１】
本発明は、コンクリートブロックにより護岸工事が施された河川において、それの護岸に組込む淡水魚用の魚礁についての改良に関する。
【背景技術】
【０００２】
魚礁には、種々の構造・形状のものがあり、従来から各所に設置されている。この従前の魚礁は、その殆どが海中に投入して海底に設置したもので、鹹水魚を対象としているものである。
【０００３】
河川に生棲する淡水魚は、海中に生棲する鹹水魚とは、習性を異にしていて、棲み家、隠れ場は、河床の石の間隙とするが、産卵は、水面近くに繁茂する水草の根に産み付けるようにしている。このため、海中に投入して海底に設置する鹹水魚用の魚礁は、それをそのまま河川に設置しても、淡水魚用の魚礁にはならない。
【０００４】
河川は、もともとの天然・自然のものには、そこに生棲する淡水魚の、隠れ場、産卵場となる場所が存在しているが、コンクリートによる護岸整備や河川改修により、これらの淡水魚の生息に適応する場所が激減してきていることで、魚類の生息に適さない環境のものとなって、河川の生態系を崩し、河川を見苦しく汚れた状態にしてきている。
【０００５】
このことから、河川の生態系を昔日の自然の状態に戻すため、護岸整備・河川改修が行われている河川に、淡水魚の生棲に適応する形態の人工の漁礁の設置が望まれてきている。
【０００６】
このため、コンクリートの護岸ブロックによる護岸工事が施工されている河川において、その護岸の法面の一部から護岸ブロックを取り除いて、ここに、魚礁とする石・木材の組込みを可能とする形状とした護岸ブロックと交換して設置し、この護岸ブロックに、石・木材等を装填して、魚礁とすることで、コンクリートで護岸された河川の法面の一部に、魚礁が組込まれた形態とする試みが行われ、このようにするための魚礁組込型の護岸ブロックが、幾つか提案されてきている。
【０００７】
しかし、この河川の護岸の法面に、魚礁組込型の護岸ブロックを施工して、このブロックに石・木材を装置して構成する魚礁は、河川の護岸の法面から護岸の側に入り込んだ河川内の流れの外にある部位に設置されることと、ブロックには、それの内部に装填する石類を収容保持させるための仕切壁が、河川の流れ方向に対して直交する方向に設けられることと、魚の棲み家・隠れ場とする間隙を、装填する多数の石・石塊の間隔で形成していて、魚礁内の流れを悪くしていることと、魚礁の構造が流れを取込むようになっていないこと、等から、魚礁の内部に対する流れが殆どなく、河川の水を停滞させるようになって、汚水溜まりに近い状態として淡水魚の魚礁には適さないものとなる問題がある。
【特許文献１】特開平０５−１７９６２９
【特許文献２】特開２００１−１２３５７７
【特許文献３】特開２００１−０７３３４１
【特許文献４】特開平１０−１９５８４２
【発明の開示】
【発明が解決しようとする課題】
【０００８】
本発明において解決しようとする問題点は、河川の護岸の法面に、魚礁組込型の護岸ブロックを敷設し、それに、石・木材等を組付け装填して構成する淡水魚用の魚礁を、河川の流れの中に存在するように設置し得るようにすることにある。
【課題を解決するための手段】
【０００９】
そして、本発明においては、請求項１に記載した如く、魚礁Ａを、コンクリートにより所定の規格寸法のブロックに成型して護岸の法面に並列させて敷設する護岸ブロック本体１と、それの内部空間に組込む魚礁本体２とで構成し、その護岸ブロック本体１を、護岸の法面の側に位置させる略垂直な後壁１０と、その後壁１０の下端から河川に向け前方に略水平に突出する底壁１１と、その底壁１１と平行して後壁１０の上端から前方に向け略水平な棚板状に突出する天井壁１２とで、河川に向かう前面側が開放する横向きのチャンネル状に形成し、魚礁本体２を、間伐材等の木材により、護岸ブロック本体１の内部空間に略対応する大きさ形状の多段の棚状に組立て、この魚礁本体２を護岸ブロック本体１の内部空間に装入して組付け、それの棚間隔内に石・粗朶などを装填して魚類の棲み家にすることを特徴とする河川の護岸に敷設する淡水魚用の魚礁を提起するものである。
【００１０】
また、これに併せて、護岸ブロック本体１の後壁１０の内面に、アンカー金具３を装設し、それに挿通するワイヤー・紐などにより、護岸ブロック本体１内に組込んだ魚礁本体２を、護岸ブロック本体１に対し緊縛・固定することを特徴とする請求項１記載の河川の護岸に敷設する淡水魚用の魚礁。および、
護岸ブロック本体１の前面側の開放口１ａに、天井壁１２の前縁部と底壁１１の前縁部との間に渡架する補強梁１５を、左右方向に間隔をおいた間柱状に装設し、その補強梁１５にボルト挿通孔１６を形成し、それに挿通する止着ボルトにより、護岸ブロック本体１内に装入した魚礁本体２を護岸ブロック本体１に対し緊縛・固定することを特徴とする請求項１記載の河川の護岸に敷設する淡水魚用の魚礁。および、
護岸ブロック本体１の天井壁１２の後端部位に、護岸の法面に敷設する張りブロック１４を、護岸の法面の傾斜角度に倣い天井壁１２の後端部から後方上方に向け斜めに突出させて一体に連続成形したことを特徴とする請求項１記載の河川の護岸に敷設する淡水魚用の魚礁。および、
護岸ブロック本体１を、それの天井壁１２の突出長さが底壁１１の突出長さより短くして、天井壁１２の前縁と底壁１１の前縁とを結ぶ仮想線が護岸の法面の傾斜面に沿う形状に成形し、この護岸ブロック本体１の天井壁１２の前端部に、法面に敷設する張りブロック１４を、その天井壁１２の前端部から後方上方に斜めに突出するよう一体に連続させて成形したことを特徴とする請求項１記載の河川の護岸に敷設する淡水魚用の魚礁。および、
護岸ブロック本体１の底壁１１の前端部に、護岸の法面に倣う傾斜角度で前方下方に向け垂下する垂下壁１７と、それの下端に連続する基礎ブロック４とを、該護岸ブロック本体１に一体に連続させて形設したことを特徴とする請求項１記載の河川の護岸に敷設する淡水魚用の魚礁。
を提起するものである。
【発明の効果】
【００１１】
本発明手段による河川の護岸の法面に敷設する淡水魚用の魚礁は、コンクリートにより所定の規格寸法のブロックに成形して、護岸の法面に左右方向に順次並列させて敷設する護岸ブロック本体を、河川に向かう前面側が開放口となる横向きのチャンネル状に成形して、これを河の流れ方向となる左右方向に突き合わせて法面に順次並列して接続していくことで、護岸の法面に、河川の流れ方向に沿う流路を形成するようにして、河川の流れが、前面側の開放口から流入して、この護岸ブロック本体の内腔を河川の流れ方向に流過していくようにし、この護岸ブロック本体の内部に組込む魚礁本体を木材により多段の棚状に組立て、それの各棚面に石・粗朶等を装填して魚礁を構成するようにして、その魚礁内を左右方向（流れ方向）に水が流過していく構造としてあることから、護岸ブロック本体内に流れ込んで、そこに装填してある魚礁本体の棚間隔内を、流れ方向に流過していくようになることで、護岸の法面に設置する魚礁を、水の澱みが生じない、淡水魚の魚礁に適応するものとする。
【発明を実施するための最良の形態】
【００１２】
本発明手段による河川の護岸に敷設する淡水魚用の魚礁は、護岸の法面に敷設していく、コンクリートで成形する護岸ブロック本体と、それの内部に組込む魚礁本体とで構成するが、その護岸ブロック本体は、護岸の法面の側に位置させる略垂直な後壁と、その後壁の下端から河川に向け前方に略水平に突出する底壁と、後壁の上端から前記底壁と略並行して前方に略水平な棚板状に突出する天井壁とで、河川の流れ方向視においてコの字型の断面形状をもって所定長さのチャンネル状に成形しておいて、これを順次、左右方向に突き合わせて、適宜個数並列させて敷設していくことで、護岸の法面に、河川の流れ方向に沿う流路を形成するようにする。そして、この護岸ブロック本体の内部に、河川内の流れが、この護岸ブロック本体の前面側の開放口から流入して、チャンネル状の流路を形成する護岸ブロック本体の内部を流過していく流れを生成するようにする。
【００１３】
そして、このチャンネル状の護岸ブロック本体の内部に装填する魚礁本体は、木材により多段の棚状に組立て構築し、それの各棚面に装入する石・粗朶等により魚礁を構成することで、各棚の間隔内を、棚面に沿い水が流れる構造のものにし、これを、敷設した護岸ブロック本体の前面側の開放口からその護岸ブロック本体の内部に装入して組付けるようにし、これにより、護岸ブロック本体内に流入して流れる河川の流れが魚礁本体の各棚段の間隔内を流過していくようにして、この護岸の法面に装設する魚礁を、水の澱みが生じないようにし、淡水魚の魚礁に適応するものとする。
【００１４】
このチャンネル状の護岸ブロック本体の内部空間に装填する魚礁本体は、前述した如く、木材等で多数の棚段状に組立てるが、そのとき、一つの護岸ブロックの内部空間に適応する大きさ形状の単位体に組立てておいて、これを、敷設した護岸ブロックの内部空間に、それの前面側の開放口から装入して、順次、先に装入した魚礁本体に突き合わせるように継ぎ合わせて、それぞれの棚面が連続していく状態とすることが望ましい。
【００１５】
護岸ブロック本体の内腔に装入した魚礁本体は、そこに設置したままでもよいが、護岸ブロックの後壁の内面に、フック状のアンカー金具を植設しておいて、それに、紐・ワイヤー等で緊縛して固定するか、ブロックの本体の前面側の開放口に、上下方向の梁を、間柱状に設けておいて、この梁にボルト挿通孔を開設しておき、この梁と梁との間から護岸ブロックの本体内に装入した魚礁本体を、ボルト挿通孔に挿通するボルトにより梁に緊縛・連結して固定するようにすることは有効である。
【００１６】
また、略垂直な後壁とそれの下端から前方に突出する底壁と後壁の上端から前方に突出する天井壁とで、コの字型の断面形状をもって左右方向（巾方向）に所定の長さに連続する横向きのチャンネル状に成形する護岸ブロック本体は、それの天井壁の後端部、または前端部に、護岸の法面に敷設する張りブロックを、護岸の法面の傾斜角度に倣う角度で後方上方に向け突出するように、一体に連続させて成形しておく場合がある。
【００１７】
また、天井壁は、護岸ブロック本体の内部に装置する木材よりなる魚礁本体の上面側を被覆して保護するとともに、上面側に人の歩道または、水草等の栽培床を形成するためのもので、底壁と平行してそれと同じ突出長さに形成してよいが、底壁の突出長さより短く形成して、護岸ブロック本体の形状を、この天井壁の前縁と底壁の前縁とを結ぶ仮想線が、護岸の法面の傾斜角度と略一致する形態となるようにする場合がある。
【００１８】
また、この天井壁は、それの前端部に、天井壁の上方に盛る盛土の崩落を防ぐ堰となるように立ち上がる立上壁を設ける場合がある。
【００１９】
底壁は、護岸ブロック本体を敷設するときに、それの下面を河川の河床に敷き込んで敷設していくためのもので、その底面は平らな盤面に形成するが、前端縁に、護岸の法面に倣う傾斜角度で前方下方に向け垂下する垂下壁を一体に連続させて、それの下端に基礎ブロックを一体に連続させて形成することで、基礎ブロックが一体に連続する形態のものとする場合がある。
【実施例１】
【００２０】
次に実施の一例を図面に従い説明する。
図１は、本発明手段による河川の護岸に敷設する淡水魚用の魚礁の、魚礁本体を組込む前のブロックの本体の斜視図、図２は同上のブロック本体に魚礁本体を組込んだ状態の側断面図、図３は同上状態の河川側から見た前面図であり、これら図において１は護岸ブロック本体、２はその護岸ブロック本体の内部空間に組込んだ魚礁本体を示す。
【００２１】
護岸ブロック本体１は、護岸の法面側に位置する略垂直な後壁１０と、その後壁１０の下端から前方（河川側）に向けて略水平に突出する底壁１１と、後壁１０の上端から前記底壁１１と平行するよう前方に向け略水平に突出する天井壁１２と、で河川の流れ方向視において、略コの字型の断面形状をもって巾方向（左右方向）に連続する横向きのチャンネル状に、コンクリートにより成形してある。
【００２２】
この護岸ブロック本体１は、この例においては、天井壁１２の突出長さが底壁１１の突出長さに略一致し、その天井壁１２の前端には、上方に立ち上がる立上壁１３が堰のように形設してある。
【００２３】
また、天井壁１２の後端には、護岸の法面に敷設する法面の張りブロック１４が一体に連続して形成してある。
【００２４】
この護岸ブロック本体１の内部空間に装入せる魚礁本体２は、間伐材等の丸太材よりなる木材を、図２、図３にあるように、柱材２０、桁材２１、棚材２２に用いて、棚材２２が上下に多段に並列する棚段状に組立ててあり、かつ、前述した護岸ブロック本体１の内部空間の大きさ形状に略対応する大きさ形状のものに組立ててあって、その組立てた木材よりなる魚礁本体２が、護岸ブロック本体１の前面側の開放口１ａから、内部空間に装入してそこに設置してある。そして、魚礁本体２の並列する棚材２２の棚間隔内には、石・粗朶等の間隙を形成する部材が装入され、それにより魚礁を構成するようにしている。
【００２５】
図１において、符号３に示している部材は、護岸ブロック本体１の後壁１０の内面側に、鋼材をフック状に成形して、上下に多連に並列させて植設した魚礁本体２緊縛用のアンカー金具で、護岸ブロック本体１の内部に装入して設置した魚礁本体２を、ワイヤー・紐などにより緊縛して固定するように用いられる。
【００２６】
護岸ブロック本体１は、前面側の開放口１ａが河川の流れに対面する姿勢として、河川の護岸の法面の下端側の部位に、そこを法面の内部に向けて護岸内に切込まれた状態位置に順次左右に並列していくように並列させて設置していき、これにより、並列設置した護岸ブロック本体１が、護岸の法面の下端の護岸ブロックとなって法面の下部を形成し、同時に、これら並列設置した護岸ブロック本体１の内腔が、前面側の開放口１ａにより河川に連通して、河川の流れの一部がこれら護岸ブロック本体１の内腔に流入して、その内腔を流路として流過していくようにしてある。
【実施例２】
【００２７】
次に、図４乃至図６は別の実施例を示している。
この例は、護岸ブロック本体１を、後壁１０と底壁１１と天井壁１２とで、前面側が開放口１ａとして開放する横向きのチャンネル状となるように、コンクリートにより成形し、その内腔に、間伐材の丸太等の木材を用いて、これらを柱材２０・桁材２１・棚材２２として多段の棚段状の魚礁本体２を、護岸ブロック本体１の内部空間に略対応する大きさ形状に組立て、これを、所定の場所に設置した護岸ブロック本体１の内部に装入して、河川の護岸に組込んだ魚礁とすることについては、前述の実施例と変わりがない。
【００２８】
しかし、護岸ブロック本体１には、それの前面側の開放口１ａに、天井壁１２の前端部と底壁１１の前端部との間に渡架される柱状の補強梁１５が、左右方向の巾方向に広い間隔をおいて間柱状に形設してあり、かつ、この補強梁１５には、前後に貫通するボルト挿通孔１６が形設してあって、護岸ブロック本体１を所定場所に設置して敷設した状態において、それの内部空間に、組立てておいた魚礁本体２を装入して設置したときに、ボルト挿通孔１６に挿通して魚礁本体２の木材に対し螺じ込む止着ボルトにより、魚礁本体２をこの補強梁１５に緊縛して護岸ブロック本体１内の所定位置に固定するようにしている。
【００２９】
なお、護岸ブロック本体１の内腔に装入した魚礁本体２の各棚段の棚間隔内には、石・粗朶等を装填して、魚類の棲み家となる間隙を形成するようにすることについては、前述の実施例のものと同様である。
【実施例３】
【００３０】
次に図７は、さらに別の実施例を示している。
この例は、護岸ブロック本体１を、コンクリートの成形により、横向きのチャンネル状に形成し、これを、図９にあるように既設の護岸の法面５を崩して形成するか、護岸工事を施工する際に、魚礁を設置するように、その護岸の適宜場所に設定しておく所定の場所に適宜数並列させて敷設し、これら護岸ブロック本体１の内部空間に、木材により組立てておく魚礁本体２を装入して、河川の護岸に組込む淡水魚用の魚礁を構成するようにすることについては、前述の各実施例のものと変わりがない。
【００３１】
しかし、この例においては、コンクリートにより横向きのチャンネル状に成形する護岸ブロック本体１の天井壁１２の前方への突出長さを短く形成して、それの前縁と底壁１１の前縁とを結ぶ仮想線が、護岸の法面の傾斜角度に倣うようにしてあり、また、天井壁１２に連続させて形成しておく法面の張りブロック１４が、天井壁１２の前縁の上面から、前記法面の傾斜角度に倣う角度で後方上方に向け斜めに突出するように形成してある。
【００３２】
また、この護岸ブロック本体１の内腔に組込む魚礁本体１は、図８に示しているように、下位の棚段から上位の棚段に移行するに従いそれの前後の巾が順次狭くなるように、棚材２２の並列本数を順次少なくして、組立てた魚礁本体２の前面側が護岸の法面に沿うようにしてあって、これにより、護岸ブロック本体１の内部に装置した魚礁本体２の前縁側が、法面の内部に引き込まれて、河川の流れを阻害しないようにしている。
【実施例４】
【００３３】
次に、図１０・図１１は、上述した如く、護岸ブロック本体１を、それの前面側が護岸の法面に倣う形状に成形したときの、それの内部空間に装入して組込む魚礁本体２の変形例を示している。
【００３４】
この例の魚礁本体２は、木材により護岸ブロック本体１の内部空間の大きさ形状に倣う大きさ形状の多段の棚段状に組立てることについては、前述の各実施例の魚礁本体２と同様であるが、棚材２２を、並列させて棚段を形成するときに、その棚材２２を、護岸ブロック本体１の天井壁１２の前縁と底壁１１の前縁とを結ぶ仮想線が形成される護岸の法面の傾斜角度に倣う傾斜面に沿うように、斜めに並列させて、この斜めの棚面が、前方から後方に向けて所定の棚間隔をもって並列するように組立てている。
【００３５】
即ち、柱材２０は略垂直に立設し、桁材２１は柱材２０を直行する方向に組立てるが、この柱材２０と桁材２１とに、水平な姿勢として渡架し、棚架していく棚材２２は、それらを斜の仮想線で示すように斜めの棚状に並列させて、棚面が傾斜面となる状態に組付けている。
【実施例５】
【００３６】
次に図１２は、さらに別の実施例を示している。
この例は、内部空間に魚礁本体２を組込む横向きのチャンネル状の護岸ブロック本体１を、それの底壁１１の下面側に垂下壁１７を設けて、それに基礎ブロック４を一体に連続させて成形することで、基礎ブロック４が一体に連続する形態のものとした例を示している。
【００３７】
この例における護岸ブロック本体１は、それの天井壁１２の突出長さを底壁１１より短くして前面側が護岸の法面の傾斜面に倣う形態のものにしている例のものであり、天井壁１２の前端部には、護岸の法面に張設していく張りブロック１４が、法面の傾斜角度に従い後方上方に向けて突出するように形設してある。
【００３８】
また、基礎ブロック４の支持部材となる垂下壁１７は、底壁１１の前端部から、護岸の法面に倣う傾斜角度で前方下方に向け突出するように形設してあり、また、基礎ブロック４は、この垂下壁１７の下端に一体に連続する状態として成形してあり、これにより、基礎ブロック４の河床への敷設と護岸ブロック本体１の敷設が一緒に行われるようにしている。
【図面の簡単な説明】
【００３９】
【図１】本発明を実施せる河川の護岸に敷設する淡水魚用の魚礁の、魚礁本体を組付ける前の状態における護岸ブロック本体の斜視図である。
【図２】同上の魚礁の、護岸ブロック本体内に魚礁本体を装入した状態における縦断側面図である。
【図３】同上の魚礁の、同上状態における正面図である。
【図４】同上の魚礁の別の実施例の、魚礁本体を組付ける前の状態における護岸ブロック本体の斜視図である。
【図５】同上の魚礁の実施例の、護岸ブロック本体内に魚礁本体を装入した状態における縦断側面図である。
【図６】同上の魚礁の実施例の、同上状態における正面図である。
【図７】同上の魚礁の別の実施例の、魚礁本体を組付ける前の状態における護岸ブロック本体の斜視図である。
【図８】同上の魚礁の別の実施例の、護岸ブロック内に組込む魚礁本体の側面図である。
【図９】同上の実施例の魚礁を敷設する河川の護岸の平面視における説明図である。
【図１０】同上の魚礁の、実施例における護岸ブロック本体内に組込む魚礁本体の変形例の、護岸ブロック本体内に組込んだ状態の側面図である。
【図１１】同上の魚礁の魚礁本体の、護岸ブロック本体内に組込む前の状態における側面図である。
【図１２】同上の魚礁のさらに別の実施例の、護岸ブロック本体内に装入する魚礁本体および河川の河床を想像線で現した斜視図である。
【符号の説明】
【００４０】
Ａ…魚礁、１…護岸ブロック本体、１ａ…前面側の開放口、１０…後壁、１１…底壁、１２…天井壁、１３…立上壁、１４…張りブロック、１５…補強梁、１６…ボルト挿通孔、１７…垂下壁、２…魚礁本体、２０…柱材、２１…桁材、２２…棚材、３…アンカー金具、４…基礎ブロック、５…法面。
【図１】
2005299116.tif 000003
【図２】
2005299116.tif 000004
【図３】
2005299116.tif 000005
【図４】
2005299116.tif 000006
【図５】
2005299116.tif 000007
【図６】
2005299116.tif 000008
【図７】
2005299116.tif 000009
【図８】
2005299116.tif 000010
【図９】
2005299116.tif 000011
【図１０】
2005299116.tif 000012
【図１１】
2005299116.tif 000013
【図１２】
2005299116.tif 000014